(57)【要約】【課題】通信停止状態にある移動機の機能を遠隔操作で変更する。【解決手段】管理サーバ６００から実行許否情報を受信すると、中継サーバ３００は、移動機１００が移動通信網２００を介した通信を許可されているか否かを判定し、移動機１００が通信を許可されていない場合には、移動機１００の通信を一時的に許可した上で、移動機１００へ実行許否情報を送信する。移動機１００が通信を許可されている場合には、移動機１００へ実行許否情報を送信する。移動機１００は、実行許否情報を受信すると、実行許否情報に従ってプログラムの実行を制限する。【選択図】        図１
2004297156.tif 000002
【特許請求の範囲】
【請求項１】
プログラムを実行する実行手段と通信網から転送されてきた情報を受信する受信手段とプログラムの実行の許否を表す実行許否情報が該受信手段により受信されると該実行許否情報の内容に従って前記実行手段によるプログラムの実行を制限する制限手段とを備えた複数の通信装置の各々について、通信装置による前記通信網を介した通信の許否を示す通信許否情報を該通信装置に割り当てられた通信アドレスに対応付けて記憶する記憶手段と、
指定された通信アドレス宛で前記実行許否情報を送信する管理サーバ装置から送信された情報を受信する受信手段と、
前記情報の宛先の通信アドレスに対応付けて記憶された通信許否情報が通信装置による前記通信網を介した通信が許可されていないことを示す場合には該通信装置による前記通信網を介した通信を一時的に許可し該情報を該通信装置へ転送する一方、許可されていることを示す場合には該情報を該通信装置へ転送する転送手段と
を有することを特徴とする中継サーバ装置。
【請求項２】
前記管理サーバ装置から送信された情報を受信し、該情報の宛先の通信アドレスに対応付けて記憶された通信許否情報が通信装置による前記通信網を介した通信が許可されていないことを示す場合であって該情報がプログラムの実行を制限させることを表す制御情報である場合には該通信装置による前記通信網を介した通信を一時的に許可し該制御情報を該通信装置へ転送する一方、該情報が制御情報でない場合には通信を許可しない
ことを特徴とする請求項１に記載の中継サーバ装置。
【請求項３】
前記通信装置による前記通信網を介した通信が許可されているにも関わらず通信不能である場合、該通信装置による該通信網を介した通信が可能となり次第、前記制御情報を該通信装置へ転送する
ことを特徴とする請求項１に記載の中継サーバ装置。
【請求項４】
前記通信装置による前記通信網を介した通信が許可されているにも関わらず通信不能である場合、該通信装置による該通信網を介した通信が可能となって該通信装置から最初の通信が行われ次第、前記制御情報を該通信装置へ転送する
ことを特徴とする請求項１に記載の中継サーバ装置。
【請求項５】
前記通信装置が前記制御情報に従って動作を行うことが可能であるか否かを判定し、可能であると判定したときにのみ該制御情報を該通信装置へ送信する
ことを特徴とする請求項１に記載の中継サーバ装置。
【請求項６】
前記実行許否情報は、前記通信装置に搭載された近距離無線通信装置の使用に必須のプログラムの実行を禁止することを示す情報である
ことを特徴とする請求項１から請求項５のいずれか一項に記載の中継サーバ装置。
【発明の詳細な説明】
【０００１】
【発明の属する技術分野】
本発明は、通信装置を遠隔制御する技術に関する。
【０００２】
【従来の技術】
携帯通信端末（以降、移動機と呼ぶ）は、その携帯性ゆえに、紛失や盗難が生じやすく、その場合、第三者による移動機の不正使用の恐れがある。そのため、紛失や盗難の際、端末に対して速やかに通信停止処理を行うための提案が従来からなされている（例えば、特許文献１）。なお、これ以降、通信停止とは、移動機が移動通信網経由で移動通信網外の他の通信装置との間で通話およびデータ通信を停止することを指し、基地局や交換局など移動通信網内の装置との間では通信が可能である。
【０００３】
【特許文献１】
特開２００２−７８００１号公報
【０００４】
【発明が解決しようとする課題】
近年、アプリケーションプログラムを実行できる環境を備えた移動機が実用化されている。アプリケーションプログラムの例としては、代金の決済を行うためのクレジット機能を移動機に実現させるプログラムがある。このプログラムを搭載した移動機には、例えば赤外線を用いた通信を可能とする近距離無線通信装置が搭載されており、店頭の端末との間で通信可能となっている。店頭の端末はクレジット会社のサーバ装置と接続されており、代金決済に関する情報の送受信が店頭の端末を介してサーバと移動機との間で行われる。
【０００５】
ところで、ユーザが移動機を紛失したり盗難に遭ったりした場合、その移動機を拾得した第三者による移動機の不正使用を防止するために、ユーザが通信事業者に依頼して移動機を通信停止とすることができる。このような通信停止作業により停止されるのは、通信事業者により提供される通信サービスを利用した通信だけである。つまり、近距離無線通信やクレジット機能の使用が禁止される訳ではない。従って、移動機を通信停止状態にしても、この移動機を拾得した第三者によって上述のクレジット機能が不正使用されてしまう虞がある。このような不正使用は金銭的被害や個人情報の漏洩につながるから、避けるべき事態である。
【０００６】
このような事態を回避する方法としては、通信事業者により提供される通信サービスを利用した遠隔操作により移動機の近距離無線通信やクレジット機能の使用を禁止してから当該移動機を通信停止状態にする、という方法が考えられる。しかし、紛失や盗難に伴う通信停止は即座に行われねば効果が薄れることを考慮すると、移動機を通信停止とするまでにやらねばならないことが多い上記の方法は不適切である。やはり、通信停止状態にある移動機の機能を遠隔操作で制限することができるのであれば、それが望ましい。
【０００７】
また、ユーザが通信料金を払わないことを理由に、通信事業者が当該ユーザの使用する移動機を通信停止状態にした場合が想定できる。この場合でも、近距離無線通信は使用可能であるから、ユーザは例えば定期券のアプリケーションプログラムを使用し続けることができる。ところが、定期券のアプリケーションプログラムのバージョンアップが行われた場合、端末が通信停止状態にあると、ネットワークを介したプログラムのダウンロードができず、ユーザは定期券を使用できなくなってしまう。このような問題を避けるためには、通信停止状態にある移動機の機能を遠隔操作で変更することができればよい。
【０００８】
本発明は上述した事情に鑑みてなされたものであり、通信停止状態にある移動機の機能を遠隔操作で変更することのできる技術の提供を目的とする。
【０００９】
【課題を解決するための手段】
上述の課題を解決するために、本発明は、プログラムを実行する実行手段と通信網から転送されてきた情報を受信する受信手段とプログラムの実行の許否を表す実行許否情報が該受信手段により受信されると該実行許否情報の内容に従って前記実行手段によるプログラムの実行を制限する制限手段とを備えた複数の通信装置の各々について、通信装置による前記通信網を介した通信の許否を示す通信許否情報を該通信装置に割り当てられた通信アドレスに対応付けて記憶する記憶手段と、指定された通信アドレス宛で前記実行許否情報を送信する管理サーバ装置から送信された情報を受信する受信手段と、前記情報の宛先の通信アドレスに対応付けて記憶された通信許否情報が通信装置による前記通信網を介した通信が許可されていないことを示す場合には該通信装置による前記通信網を介した通信を一時的に許可し該情報を該通信装置へ転送する一方、許可されていることを示す場合には該情報を該通信装置へ転送する転送手段とを有することを特徴とする中継サーバ装置を提供する。
【００１０】
また、本発明は、プログラムを実行する実行手段と通信網から転送されてきた情報を受信する受信手段とプログラムの実行の許否を表す実行許否情報が該受信手段により受信されると該実行許否情報の内容に従って前記実行手段によるプログラムの実行を制限する制限手段とを備えた複数の通信装置の各々について、通信装置による前記通信網を介した通信の許否を示す通信許否情報を該通信装置に割り当てられた通信アドレスに対応付けて記憶する記憶ステップと、指定された通信アドレス宛で前記実行許否情報を送信する管理サーバ装置から送信された情報を受信する受信ステップと、前記情報の宛先の通信アドレスに対応付けて記憶された通信許否情報が通信装置による前記通信網を介した通信が許可されていないことを示す場合には該通信装置による前記通信網を介した通信を一時的に許可し該情報を該通信装置へ転送する一方、許可されていることを示す場合には該情報を該通信装置へ転送する転送ステップとを有することを特徴とする中継方法を提供する。
【００１１】
また、本発明は、コンピュータ装置に、プログラムを実行する実行手段と通信網から転送されてきた情報を受信する受信手段とプログラムの実行の許否を表す実行許否情報が該受信手段により受信されると該実行許否情報の内容に従って前記実行手段によるプログラムの実行を制限する制限手段とを備えた複数の通信装置の各々について、通信装置による前記通信網を介した通信の許否を示す通信許否情報を該通信装置に割り当てられた通信アドレスに対応付けて記憶する記憶ステップと、指定された通信アドレス宛で前記実行許否情報を送信する管理サーバ装置から送信された情報を受信する受信ステップと、前記情報の宛先の通信アドレスに対応付けて記憶された通信許否情報が通信装置による前記通信網を介した通信が許可されていないことを示す場合には該通信装置による前記通信網を介した通信を一時的に許可し該情報を該通信装置へ転送する一方、許可されていることを示す場合には該情報を該通信装置へ転送する転送ステップとを実行させることを特徴とするプログラムを提供する。
【００１２】
管理サーバ装置から実行許否情報を受信すると、中継サーバ装置は、通信装置が通信網を介した通信を許可されているか否かを判定し、通信装置が通信を許可されていない場合には、通信装置の通信を一時的に許可した上で、通信装置へ実行許否情報を送信する。通信装置が通信を許可されている場合には、通信装置へ実行許否情報を送信する。通信装置は、実行許否情報を受信すると、実行許否情報に従ってプログラムの実行を制限する。
【００１３】
【発明の実施の形態】
以下、図面を参照して、本発明の実施の形態について説明する。これ以降、移動機を遠隔操作で制御することを「リモート制御」と呼ぶ。
【００１４】
（１．構成）
（１−１．システム全体の構成）
図１は、本発明の実施形態にかかるシステム全体の構成を示すブロック図である。移動機（通信装置）１００は、通常の携帯電話機能の他、移動通信網２００を通じてデータ通信を行うことができる。また、移動機１００は、移動通信網２００を通じてアプリケーションプログラムをダウンロードする機能を備え、ダウンロードしたアプリケーションプログラムを記憶部１０１に記憶させる。記憶部１０１は書き換え可能な不揮発性メモリである。また、移動機１００は、近距離無線通信装置１０２を備える。近距離無線通信装置１０２は、例えば赤外線やＦＭ（Ｆｒｅｑｕｅｎｃｙ  Ｍｏｄｕｌａｔｉｏｎ）波を用いて数ｍ程度の距離内での通信を行うことのできる通信装置である。または、Ｂｌｕｅｔｏｏｔｈ（登録商標）などの通信規格に従って通信を行うことのできる通信装置でもよい。
【００１５】
サービス記憶装置４００、管理サーバ（管理サーバ装置）６００、ＣＰサーバ８００は、以下に述べる点を除いて通常のサーバ装置と同様の構成を有している。
ＣＰサーバ８００は、コンテンツ配信サービスを提供するコンテンツプロバイダ（以降、ＣＰと呼ぶ）によって管理されており、記憶部８０１を有し、記憶部８０１にコンテンツを記憶させ、記憶部８０１に記憶されたコンテンツを移動機１００へ宛てて移動通信網２００経由で送信する。なお、本実施形態において、「コンテンツ」とは移動機１００が実行可能なアプリケーションプログラムを指す。
【００１６】
管理サーバ６００は通信事業者によって管理されており、ＣＰサーバ８００から送信された移動機１００宛のコンテンツを受信し、中継サーバ３００へ転送する。また、管理サーバ６００は、移動機１００と他の移動機との間で電子メールを中継する機能を持つ。
【００１７】
管理サーバ６００は、記憶部６０１を有し、記憶部６０１には実行許否情報テーブル６０２が格納されている。通信事業者は、ＣＰからの依頼に従って、あらかじめ実行許否情報を実行許否情報テーブル６０２に書き込んでおく。実行許否情報の構成の一例を図２に示す。同図には複数の実行許否情報が示されている。実行許否情報は、リモート制御の対象とする移動機の電話番号、当該移動機が処理を施すアプリケーションプログラムの識別番号（以降、ＡＰＩＤと呼ぶ）、当該アプリケーションプログラムに施す処理内容、当該アプリケーションプログラムを提供するＣＰの識別番号（以降、ＣＰＩＤと呼ぶ）から構成される。リモート制御によって移動機に行わせる処理内容は、「停止」、「装置停止」、「更新」、「再開」、「装置再開」の５種類である。ＣＰは、ひとつのアプリケーションプログラムに対して上記の処理内容からいずれかひとつを選択することができる。「停止」とは、アプリケーションプログラムの使用を禁止することを表す。「装置停止」とは、近距離無線通装置の使用を禁止することを表す。「更新」とは、アプリケーションプログラムを更新することを表す。「再開」とは、使用を禁止していたアプリケーションプログラムの使用を許可することを表す。「装置停止」とは、使用を禁止していた近距離無線通装置の使用を許可することを表す。
【００１８】
サービス記憶装置４００は、移動機１００が在圏する在圏エリア、移動機１００が通信停止状態かどうかを示す識別子を記憶部４０１に記憶させる。
なお、移動機、ＣＰサーバは複数存在するが、簡単のためひとつの移動機１００とひとつのＣＰサーバ８００のみ図示している。
【００１９】
（１−２．中継サーバの構成）
図３は、中継サーバ（中継サーバ装置）３００の内部構成を示すブロック図である。ＲＯＭ３０２には中継プログラムが格納されており、ＣＰＵ３０４はＲＡＭ３０３をワークエリアとして、中継プログラムを実行する。中継プログラムは、例えばフロッピーディスクなどのコンピュータ読み取り可能な記録媒体に記録されていてもよい。記憶部３０５は、例えばハードディスクドライブなどの書き換え可能な不揮発性メモリである。記憶部３０５には、リモート制御可能な移動機の機種を示す機種情報が記憶されている。中継サーバ３００と外部との通信は、通信インターフェイス（以降、通信ＩＦ）３０６を介して行われる。
【００２０】
図４は、ＣＰＵ３０４が中継プログラムを実行している間に中継サーバ３００が行う処理の流れを示すフローチャートである。まず、中継サーバ３００が管理サーバ６００から移動機１００宛の着信通知を受信する（ステップＦ０１）。着信通知がリモート制御に関するものかどうかを判定する（ステップＦ０２）。本実施形態においては、リモート制御に関する通信を行う際、管理サーバ６００は、リモート制御のための信号であることを示すリモート制御識別子を信号に付加して送信する。着信通知にリモート制御識別子が含まれているならば、移動機１００に対するリモート制御を行うことを示す情報を記憶部３０５に記憶させる（ステップＦ０３）。
【００２１】
次に、中継サーバ３００は、サービス記憶装置４００へ移動機１００の在圏エリアと移動機１００が通信停止状態か否かを問い合わせる（ステップＦ０４）。中継サーバ３００はこの問い合わせに対する応答を受信し、移動機１００が通信停止状態か否かの判定を行う（ステップＦ０５）。移動機１００が通信停止状態である場合、当該着信がリモート制御に関するものであるか否かを判定し（ステップＦ０６）、リモート制御であるならば処理を続行し、リモート制御でないならば着信応答ＮＧを管理サーバ６００へ送信する（ステップＦ０７）。また、移動機１００が通信停止状態でない場合、当該着信がリモート制御に関するものであるか否かを判定し（ステップＦ０８）、リモート制御であるならば処理を続行し、リモート制御でないならば通常の通信処理を行う（ステップＦ０９）。
【００２２】
次に、中継サーバ３００は、移動機１００へ着信通知を送信する（ステップＦ１０）。移動機１００から応答があったかどうかを判定し（ステップＦ１１）、通信圏外または電源切断のため移動機１００からの応答がない場合には、通信圏内復帰または電源投入によって新たに移動機１００の位置登録が行われたことを確認した時点でステップＦ１０へ戻る（ステップＦ１２）。移動機１００からの応答には移動機１００の機種を表す機種情報が含まれている。移動機１００からの応答を受信すると、応答に含まれている機種情報を記憶部３０５に記憶されている機種情報と比較し、移動機１００がリモート制御可能な機種であるかどうかを判定する（ステップＦ１３）。移動機１００がリモート制御可能でない場合には、処理を終了する。移動機１００がリモート制御可能である場合には、接続通知を管理サーバ６００へ送信し、リモート制御を行うことを表すリモート制御通知を移動機１００へ送信する（ステップＦ１４）。
【００２３】
なお、中継サーバ３００と管理サーバ６００は一体であってもよい。
【００２４】
（２．動作例）
（２−１．リモート制御の通知）
本実施形態の動作について説明する。実行許否情報テーブル６０２には、ＣＰからの依頼に従って図２に示すように実行許否情報が入力されているとする。ここでは、移動機１００の電話番号がｘｘｘ−ｙｙｙｙ−ｚｚｚｚであるとする。実行許否情報テーブル６０２の最初のレコードには、電話番号がｘｘｘ−ｙｙｙｙ−ｚｚｚｚである移動機に搭載されているＡＰＩＤがＡ０１、ＣＰＩＤがＣ１１であるプログラムを使用禁止とすることを表すデータが、次のレコードには、同じ移動機に搭載されているＡＰＩＤがＡ０２、ＣＰＩＤがＣ２５であるプログラムを起動し、近距離無線通信装置１０２の使用を禁止することを表すデータが、更に次のレコードには、同じ移動機に搭載されているＡＰＩＤがＡ０５、ＣＰＩＤがＣ１２であるプログラムを更新することを表すデータが格納されている。
【００２５】
図５は本実施形態にかかるシステム全体の動作を示すシーケンスチャートである。ここで、移動機１００は通信停止状態にあるとする。また、移動機１００はリモート制御可能な機種であるとする。移動機１００に対するリモート制御をＣＰまたはユーザが通信事業者に申し込むと、通信事業者は、電話番号がｘｘｘ−ｙｙｙｙ−ｚｚｚｚである移動機１００に対してリモート制御を行うことを通知するリモート制御通知を管理サーバ６００から中継サーバ３００へ送信する（ステップＳ０１）。管理サーバ６００からリモート制御通知を受信すると、中継サーバ３００は、当該着信が移動機１００に対するリモート制御通知であるという情報を記憶部３０５に記憶させる。次に、中継サーバ３００は、サービス記憶装置４００に対して、移動機１００の在圏エリアと移動機１００が通信停止状態か否かを問い合わせる（ステップＳ０２）。この問い合わせを受けると、サービス記憶装置４００は、移動機１００の在圏エリアと移動機１００が通信停止状態であること表す情報を中継サーバ３００に返信する（ステップＳ０３）。
【００２６】
次に、中継サーバ３００は、移動機１００の在圏エリアをカバーする基地局を介して、移動機１００に着信通知を送信する（ステップＳ０４）。中継サーバ３００から着信通知を受信すると、移動機１００は、移動機１００の機種を表す機種情報を中継サーバ３００に返信する（ステップＳ０５）。中継サーバ３００は、受信した機種情報を記憶部３０５に記憶されている機種情報と比較し、移動機１００がリモート制御可能な機種であるかどうかを判定する。移動機１００はリモート制御可能な機種であるから、接続通知を管理サーバ６００へ送信し（ステップＳ０６）、さらにリモート制御通知を移動機１００に送信する（ステップＳ０７）。
【００２７】
リモート制御通知を受信すると、移動機１００は実行許否情報の転送を要求することを表す転送要求を中継サーバ３００を介して管理サーバ６００宛で送信する（ステップＳ０８）。転送要求を受信すると、管理サーバ６００は、移動機１００に該当する実行許否情報を中継サーバ３００を介して移動機１００宛で送信する（ステップＳ０９）。移動機１００は、受信した実行許否情報を記憶部１０１に記憶させる。
【００２８】
（２−１−１．アプリケーションプログラムの停止）
実行許否情報が記憶部１０１に記憶された後、アプリケーションプログラムを起動する操作が移動機１００に対して行われた場合、ＣＰＵ１０３は記憶部１０１に記憶されている実行許否情報を参照して、当該プログラムの処理内容が「停止」ならば、起動を中止する。図２に示した実行許否情報テーブル６０２によると、ＡＰＩＤがＡ０１であるプログラムを停止することとなっているから、当該アプリケーションプログラムを起動する操作が移動機１００に対して行われた場合、ＣＰＵ１０３は当該プログラムの起動を中止する。
【００２９】
（２−１−２．近距離無線通信装置の停止）
実行許否情報が記憶部１０１に記憶された後、処理内容が「装置停止」であるアプリケーションプログラム（ここではＡＰＩＤがＡ０２であるプログラム）に対しては、ＣＰＵ１０３が当該アプリケーションプログラムを起動する。このアプリケーションプログラムは、自身が使用するデータを近距離無線通信装置１０２を用いた通信によって送受信するプログラムである。ＣＰＵ１０３は、アプリケーションプログラムを起動した後、近距離無線通信装置１０２を制御する制御プログラムに対する停止処理を行い、当該アプリケーションプログラムを終了する。
【００３０】
（２−１−３．アプリケーションプログラムの更新）
実行許否情報が記憶部１０１に記憶された後、処理内容が「更新」であるアプリケーションプログラム（ここではＡＰＩＤがＡ０５であるプログラム）については、ＣＰＵ１０３が新しいバージョンのプログラムのダウンロード要求をＣＰサーバ８００宛で送信する。ダウンロード要求を受信すると、ＣＰサーバ８００は、新しいバージョンのプログラムを移動機１００宛で送信する。
【００３１】
（２−１−４．アプリケーションプログラムの再開）
紛失あるいは盗難のため通信停止とした移動機１００がユーザの手元に戻ってきた場合には、ユーザは移動機１００の通信を許可するよう通信事業者に依頼する。このときユーザは、使用を禁止したアプリケーションプログラムの使用を許可するようＣＰまたは通信事業者に依頼することができる。使用を禁止したアプリケーションプログラムの使用を許可するには、処理内容が「再開」である実行許否情報を管理サーバ６００から移動機１００に宛てて送信する。実行許否情報の一例を図６に示す。この実行許否情報が記憶部１０１に記憶された後、プログラムを起動する操作が移動機１００に対して行われると、ＣＰＵ１０３は記憶部１０１に記憶されている実行許否情報を参照して、当該プログラムのＡＰＩＤがＡ０１であるならば当該プログラムの起動を許可する。
【００３２】
（２−１−５．近距離無線通信装置の再開）
上記と同様に、ユーザは、使用を禁止した近距離無線通信装置の使用を許可するようＣＰまたは通信事業者に依頼することができる。使用を禁止した近距離無線通信装置の使用を許可するには、処理内容が「装置再開」である実行許否情報を管理サーバ６００から移動機１００に宛てて送信する。図６に例示する実行許否情報が送信された場合、この実行許否情報が記憶部１０１に記憶されると、ＣＰＵ１０３はＡＰＩＤがＡ０２であるアプリケーションプログラムを起動した後、近距離無線通信装置１０２を制御する制御プログラムに対する停止処理を解除し、当該アプリケーションプログラムを終了する。
【００３３】
以上の動作によって、移動機を通信停止とした後、移動機に搭載されているアプリケーションプログラムを遠隔操作によって使用禁止とすることが可能となる。アプリケーションプログラムは移動機の記憶部に残っているため、これらのプログラムの使用を再開したい場合に、再度プログラムをインストールせずにすむ。
【００３４】
また、移動機を通信停止とした後、移動機に搭載されている近距離無線通信装置を遠隔操作によって迅速に使用禁止とすることが可能となる。これによって、近距離無線通信装置を用いた通信を行うアプリケーションプログラムが複数搭載されている場合、これらのプログラムを一括して使用禁止とすることが可能となる。
【００３５】
また、移動機を通信停止とした後、移動機に搭載されているアプリケーションプログラムを遠隔操作によって更新することが可能となる。これによって、ユーザが通信停止状態にある移動機を所持している場合、移動機に搭載されている定期券などのアプリケーションプログラムをバージョンアップして使用し続けることができる。
【００３６】
また、遠隔操作によって移動機に搭載されたアプリケーションプログラムや近距離無線通信装置の使用を許可することが可能となる。これによって、例えば紛失した移動機がユーザの手元に戻ってきた場合に、アプリケーションプログラムや近距離無線通信装置の使用を再開することができる。
【００３７】
また、リモート制御を行うために通信を再開させた移動機に対するリモート制御を目的とする通信以外の通信を禁止することによって、リモート制御中の移動機の不正な使用、例えば、コンテンツ取得やメール送受信を防止することができる。
また、リモート制御可能でない移動機に対しては制御内容を送信しないから、通信網へ無駄な負荷をかけずに済む。
【００３８】
（３．変形例）
本発明は種々の態様で実施可能である。変形例としては、たとえば以下のようなものがある。
【００３９】
（３−１．変形例１）
リモート制御で行う処理は、アプリケーションプログラムが使用するデータの更新であってもよい。
【００４０】
（３−２．変形例２）
移動機に搭載されているアプリケーションプログラムを使用禁止とする場合、リモート制御によってアプリケーションプログラムを移動機の記憶部から削除することとしてもよい。
【００４１】
（３−３．変形例３）
移動機がリモート制御可能か否かの情報をサービス記憶装置に記憶させておき、移動機がリモート制御可能か否かを中継サーバがサービス記憶装置に問合せることとしてもよい。
【００４２】
（３−４．変形例４）
移動機がリモート制御可能か否かの判定を行うことなく制御内容を送信してもよい。
【００４３】
（３−５．変形例５）
通信圏外または電源切断のため移動機からの応答がない場合、通信圏内復帰または電源投入後、移動機から最初に発信要求が行われた時点で中継サーバが移動機にリモート制御通知を送信することとしてもよい。
【００４４】
（３−６．変形例６）
通信停止状態にある移動機に搭載されたアプリケーションプログラムを起動した後の動作は、近距離無線通信装置の停止に限らず、管理サーバから受信した情報を用いて種々の動作をすることとしてもよい。
【００４５】
（３−７．変形例７）
通信装置は、設置場所を固定した通信装置であってもよい。例えば、屋内に設置して使用する通信装置の通信料金を払い忘れたために通信事業者の判断によって通信停止とされた場合でも、その通信装置に搭載されているプログラムをバージョンアップして使用することができる。
【００４６】
【発明の効果】
本発明によれば、移動機を通信停止とした後、移動機に搭載されているアプリケーションプログラムを遠隔操作によって迅速に使用禁止とすることが可能となる。これによって、移動機を紛失したり盗難に遭ったりした場合、移動機の通信機能だけでなく、第三者によるアプリケーションプログラムの不正使用を確実に防止することができる。
【図面の簡単な説明】
【図１】本発明の実施形態にかかるシステム全体の構成を示すブロック図である。
【図２】同実施形態にかかる実行許否情報テーブルに書き込まれる情報の一例を示す図である。
【図３】同実施形態にかかる中継サーバの構成を示すブロック図である。
【図４】同実施形態にかかる中継プログラムを実行中の中継サーバが行う処理の流れを示すフローチャートである。
【図５】同実施形態にかかるシステム全体の動作を示すシーケンスチャートである。
【図６】同実施形態にかかる実行許否情報テーブルに書き込まれる情報の一例を示す図である。
【符号の説明】
１００…移動機、２００…移動通信網、３００…中継サーバ、４００…サービス記憶装置、６００…管理サーバ、８００…ＣＰサーバ。
【図１】
2004297156.tif 000003
【図２】
2004297156.tif 000004
【図３】
2004297156.tif 000005
【図４】
2004297156.tif 000006
【図５】
2004297156.tif 000007
【図６】
2004297156.tif 000008